(57)【要約】【課題】映像表示装置から動作無効または動作停止の指示を受ける可能性のある映像信号出力装置において、映像信号の出力開始後直ちに当該出力を停止しない映像信号出力装置を提供する。【解決手段】  映像再生システム１０は、ＤＶＤレコーダ１、テレビ１０１を備える。ＤＶＤレコーダ１は、再生が指示されると、ＤＶＤレコーダ１が出力する映像が表示されるように、テレビ１０１に外部入力への切換を要求すると共に、映像信号の出力を開始する。このとき、テレビ１０１から、動作無効の指示を受けたとしても、再生開始から、所定時間以内に動作無効の指示を受けた場合には、無効の要求を無視して、再生および映像信号の出力を継続する。他方、再生開始から、所定時間を越えて経過している場合には、他の機器がアクティブになったと判断して、映像信号の出力または再生を停止する。  【選択図】図２
2009194589.tif 000002
【特許請求の範囲】
【請求項１】
映像信号を出力する映像信号出力部と、
前記映像表示装置から、動作無効または動作停止の指示を受ける受信部と、を備え、
前記受信部が前記動作無効または動作停止の指示を受けると、前記映像信号出力部は、映像信号の出力を停止する映像信号出力装置において、
前記映像信号出力部は、
（Ａ）映像信号の出力を開始した後、または前記映像信号出力装置が映像信号の指示を受けた後のいずれかから、予め定めた所定時間内に、前記受信部が前記動作無効または動作停止の指示を受けたか否か判断を行い、
（Ｂ）前記判断が肯定の場合には、その指示を無視して、映像信号の出力を継続し、
（Ｃ）前記判断が否定の場合には、前記映像信号の出力を停止する映像信号出力装置。
【請求項２】
映像信号を出力する映像信号出力部と、
前記映像信号の映像を表示する映像表示装置に対し、前記映像信号出力部が出力する映像信号の映像を表示するよう入力切換を要求する送信部と、
前記映像表示装置から、動作無効または動作停止の指示を受ける受信部と、を備え、
前記受信部が前記動作無効または動作停止の指示を受けると、前記映像信号出力部は、映像信号の出力を停止する映像信号出力装置において、
前記映像信号出力部は、
（Ａ’）前記送信部が前記入力切換を要求した後から予め定めた所定時間内に、前記受信部が前記動作無効または動作停止の指示を受けたか否か判断を行い、
（Ｂ）前記判断が肯定の場合には、その指示を無視して、映像信号の出力を継続し、
（Ｃ）前記判断が否定の場合には、前記映像信号の出力を停止する映像信号出力装置。
【請求項３】
前記映像信号出力装置は、記録媒体に記録された映像信号の再生を行い、これを出力する装置であって、
前記動作無効または動作停止の指示を受けて前記映像信号の出力の停止をする場合には、前記映像信号出力部は、前記再生を一時停止する請求項１、２のいずれかに記載の映像信号出力装置。
【請求項４】
前記受信部は、前記映像表示装置から前記動作無効または動作停止以外の動作の指示を受けることにより、前記映像表示装置を介して、前記映像信号出力装置本体に対する種々の操作の指示を受け付ける請求項１〜３のいずれかに記載の映像出力装置。
【請求項５】
前記受信部は、ＨＤＭＩ−ＣＥＣ規格に従う請求項４に記載の映像信号出力装置。
【発明の詳細な説明】
【技術分野】
【０００１】
本発明は、テレビ等の映像表示装置に接続される映像出力機器であって、当該映像表示装置により制御を受ける映像信号出力装置に関する。
【背景技術】
【０００２】
従来、ＨＤＭＩ−ＣＥＣ規格に従う映像表示装置（テレビ、モニター、プロジェクタ）、映像信号出力装置（再生装置、カメラ、ゲーム機器等）が実用化されている。この規格に従うテレビは、リモコンや本体付属のキーから操作信号を受け付けると、このテレビと接続された種々の機器の制御を行う。例えば、第１再生装置、第２再生装置がＨＤＭＩケーブルでテレビに接続されている場合、当該規格に従うテレビは、テレビのリモコンから、これらの再生装置を操作できる。テレビは、第１再生装置の再生指示を受けると、第１再生装置に再生指示を送る。同時に、第１再生装置以外の機器に対し、その動作を無効にする指示（以下、動作無効の指示と称する。）を送る。第１再生装置は、テレビから再生指示を受け付けると、その再生映像を表示するため、テレビに対し外部入力１へ切り換えるよう指示を送ると共に、映像信号をテレビに出力する。これにより、テレビは、外部入力１に切り換え、第１再生装置の映像を表示する。
【０００３】
また、再生装置が再生中であった場合に、テレビから動作無効の指示を受けると、再生装置のメーカの仕様として、再生を一時停止する仕様とすることができる。この仕様は、画面が切り換わっても、そのまま映像のコマ送りが継続されると、ユーザが、後で再生を再開するときに巻き戻す手間を考慮したものである。
【０００４】
また、特許文献１〜５には、ＨＤＭＩ規格に従う映像処理装置等が開示されている。
【特許文献１】特開２００７−２５９１１５公報
【特許文献２】特開２００７−１５０８５３公報
【特許文献３】特開２００７−１０４１３８公報
【特許文献４】特開２００５−１８４０７９公報
【特許文献５】特開２００４−２０８２９０公報
【発明の開示】
【発明が解決しようとする課題】
【０００５】
しかしながら、テレビによっては、この外部入力へ切換をするときに、ＨＤＭＩで接続されているすべての機器に対し、動作無効の指示を送るテレビがあった。再生装置が、再生を開始するため、テレビに対し外部入力に切り換えるよう要求すると、このテレビは、接続された機器すべてに対し、動作無効の指示を送る。上述のとおり、再生装置を、動作無効の指示を受けて再生を停止する仕様とすると、外部入力に切り換えると同時に、直ちに再生を停止してしまう可能性があった。その結果、ＤＶＤレコーダは、クレームの対象になる虞があった。
【０００６】
また、この再生の停止は、テレビを介して、再生装置を制御する指示を送る場合だけでなく、再生装置に直接、指示を送る場合でも生じる可能性があった。この場合、再生を開始するときに、この映像が表示できるよう、テレビに対し外部入力へ切換を指示する。このとき、テレビから動作無効の指示を受ける虞があった。
【０００７】
そこで、本発明は、テレビ等の映像表示装置から動作無効または動作停止の指示を受ける可能性のある映像信号出力装置において、映像信号の出力開始後直ちに当該出力を停止しない映像信号出力装置を提供することを目的とする。
【課題を解決するための手段】
【０００８】
上記課題を解決するために、以下の構成を備えることができる。
【０００９】
（１）  映像信号を出力する映像信号出力部と、
前記映像表示装置から、動作無効または動作停止の指示を受ける受信部と、を備え、
前記受信部が前記動作無効または動作停止の指示を受けると、前記映像信号出力部は、映像信号の出力を停止する映像信号出力装置において、
前記映像信号出力部は、
（Ａ）映像信号の出力を開始した後、または前記映像信号出力装置が映像信号の指示を受けた後のいずれかから、予め定めた所定時間内に、前記受信部が前記動作無効または動作停止の指示を受けたか否か判断を行い、
（Ｂ）前記判断が肯定の場合には、その指示を無視して、映像信号の出力を継続し、
（Ｃ）前記判断が否定の場合には、前記映像信号の出力を停止する。
【００１０】
映像信号の出力を開始した後、またはその指示をした後、所定時間内に、映像表示装置から無効の指示を受けるような場合には、映像表示装置（テレビ、モニタ、プロジェクタ等）がその映像信号出力装置の映像へ入力切換をするときに無効の指示を出しているか、映像信号出力装置が異常な指示を受けている可能性が高い。そこで、この構成では、（Ａ）所定時間内に動作無効の指示を受けたかどうか判断し、（Ｂ）その判断が肯定の場合には、その指示を無視して再生を継続する。したがって、再生を開始した後、直ちに再生が停止するといった不具合を解消できる。したがって、これに伴うクレームも解消できる。
【００１１】
また、（Ｃ）前記判断が否定の場合には、前記映像信号の出力を停止する。この場合には、例えば、他の装置がアクティブになるように切換が指示された場合には、その無効の指示を有効にし、通常時には、この指示を受け入れることができる。即ち、常に動作無効等の指示を無視するのではなく、（Ａ）の判断を行っているから、異常な指示を受けている場合に限り、その指示を無効にすることができる。
【００１２】
なお、以上の（Ａ）の判断について、装置内部に実装されたプログラムや判断回路の判断基準はどうあれ、実際の動作として、結果的に（Ａ）を判断しているといえる場合には、これも（Ａ）の判断基準に含まれる。この場合でも、その判断に基づいて、（Ｂ）、（Ｃ）の処理を行っているといえる場合には、再生開始後直ちに停止することがない。したがって、この場合には、上記不具合を解消できる効果を奏する。この点は、以下の（２）も同様である。また、「所定時間内」という判断は、（Ｂ）の処理が「所定時間以下」で、かつ、（Ｃ）の処理が「所定時間を越えて」としてもよく、また、（Ｂ）の処理が「所定時間未満」で、かつ、（Ｃ）の処理が「所定時間以上」としてもよい。（２）の構成も同様である。
【００１３】
（２）  映像信号を出力する映像信号出力部と、
前記映像信号の映像を表示する映像表示装置に対し、前記映像信号出力部が出力する映像信号の映像を表示するよう入力切換を要求する送信部と、
前記映像表示装置から、動作無効または動作停止の指示を受ける受信部と、を備え、
前記受信部が前記動作無効または動作停止の指示を受けると、前記映像信号出力部は、映像信号の出力を停止する映像信号出力装置において、
前記映像信号出力部は、
（Ａ’）前記送信部が前記入力切換を要求した後から予め定めた所定時間内に、前記受信部が前記動作無効または動作停止の指示を受けたか否か判断を行い、
（Ｂ）前記判断が肯定の場合には、その指示を無視して、映像信号の出力を継続し、
（Ｃ）前記判断が否定の場合には、前記映像信号の出力を停止する。
【００１４】
そこで、この構成では、送信部を備え、映像信号出力装置が入力切換を映像表示装置に要求する。入力切換を要求した後、所定時間内に、映像表示装置から無効の指示を受けるような場合には、映像表示装置（テレビ、モニタ、プロジェクタ等）がその映像信号出力装置の映像へ入力切換をするときに動作無効等の指示を出しているか、映像信号出力装置が異常な指示を受けている可能性が高い。
【００１５】
そこで、この構成では、（Ａ’）入力切換を要求してから、前記動作無効または動作停止の指示を受けたか否か判断し、（Ｂ）その判断が肯定の場合には、その指示を無視して再生を継続する。したがって、再生を開始した後、直ちに再生が停止するといった不具合を解消できる。したがって、これに伴うクレームも解消できる。
【００１６】
また、（Ｃ）前記判断が否定の場合には、前記映像信号の出力を停止する。この場合には、例えば、他の装置がアクティブになるように切換が指示された場合には、その無効の指示を有効にし、通常時には、この指示を受け入れることができる。このように、常に動作無効等の指示を無視するのではなく、（Ａ’）の判断を行っているから、異常な指示を受けている場合に限り、その指示を無効にすることができる。
【００１７】
なお、「入力切換」は、放送を受信するチャンネルから映像信号出力装置の映像を受信する入力、例えば外部入力に切り換えてもよいし、複数の映像信号出力装置のうちから、選択された映像信号出力装置に切り換えてもよい。
【００１８】
（３）  前記映像信号出力装置は、記録媒体に記録された映像信号の再生を行い、これを出力する装置であって、
前記映像信号の出力の停止をする場合には、前記映像信号出力部は、前記再生を一時停止する。
【００１９】
（４）  前記受信部は、前記映像表示装置から前記動作無効または動作停止以外の動作の指示を受けることにより、前記映像表示装置を介して、前記映像信号出力装置本体に対する種々の操作の指示を受け付けるようにしてもよい。
【００２０】
（５）  前記受信部は、ＨＤＭＩ−ＣＥＣ規格に従うようにしてもよい。
【発明の効果】
【００２１】
本発明によれば、映像表示装置（テレビ等）に接続され、映像表示装置から動作無効または動作停止の指示を受ける映像信号出力装置において、映像信号の出力開始後直ちに停止するといった不具合のおそれを解消できる。
【発明を実施するための最良の形態】
【００２２】
図１は、この発明の一実施形態である映像再生システム１０の概要を示す。システム１０は、ＤＶＤレコーダ１、１０９、テレビ１０１、テレビ１０１のＴＶリモコン８０、ＨＤＭＩケーブル１０７、１０８を備える。レコーダ１、１０９、テレビ１０１は、ＨＤＭＩ−ＣＥＣ規格に準拠しており、ケーブル１０７、１０８を介して，デジタル形式の映像信号、音声信号、各種の制御信号７１〜７４を送受信する。
【００２３】
ＤＶＤレコーダ１、１０９は、記録媒体に記録された映像信号を再生し、テレビ１０１に出力する。また、放送を受信して映像信号を記録する。テレビ１０１は、放送を受信して表示部に表示する。また、テレビ１０１は、放送を受信するチャンネルのほかに外部入力への切換を受け付ける。テレビ１０１は、外部入力の切換の指示を受けると、外部から映像信号の入力を受け付け、それを表示部に表示する。
【００２４】
レコーダ１、１０９、テレビ１０１は、制御信号７１〜７４を送受信することにより、互いの各種の情報を取得する。例えば、テレビのアスペクト比、レコーダ１の解像度、装置のオン、オフの状態等を取得する。また、テレビ１０１は、ＴＶリモコン８０からレコーダ１、１０９の操作を受け付ける。この操作を受けて、テレビ１０１は、ＤＶＤレコーダ１、１０９への再生指示、録画指示等を行う。また、ＤＶＤレコーダ１の再生を実行するときは、ＤＶＤレコーダ１は、テレビ１０１に対し、外部入力への切換を要求する。これにより、ユーザは、１台のＴＶリモコン８０の操作だけで、映像再生システム１０全体を制御することができる。また、操作が統合されているので、外部入力への切換というような無駄な操作をする必要がない。
【００２５】
テレビ１０１は、放送受信部で受信した放送を表示する。また、テレビを受信するチャンネルのほかに外部から映像信号を入力するチャンネルを備え、そのチャンネルに切り換えたときは、その映像を表示する。
【００２６】
図２を用いて、テレビ１０１のＴＶリモコン８０を用いて、ユーザがＤＶＤレコーダ１に再生を指示する場合の処理フローについて説明する。
ＳＴ０：現在ＤＶＤレコーダ１０９が再生中であるものと仮定する。
ＳＴ１：ＴＶリモコン８０は、リモコン信号７０をテレビ１０１に送信する。
ＳＴ２：これを受けて、テレビ１０１は、ＤＶＤレコーダ１に制御信号７２（再生指示）を送る。
【００２７】
ＳＴ３：ＳＴ２と略同時に、テレビ１０１は、ＤＶＤレコーダ１０９に対し、動作無効の要求を出す。動作無効（以下、単に「無効」と略す。）の要求とは、テレビ１０１が、現在ＤＶＤレコーダ１０９がアクティブでなく、テレビ１０１にその映像を表示できない状態であることを伝達するものである。この要求を受けて、ＤＶＤレコーダ１０９は、映像信号の出力を停止してもよいし、再生を一時停止しても良い。再生を一時停止するかどうかは、ＤＶＤレコーダのメーカの仕様により決定できる。再生を一時停止する仕様とすれば、画面に映らない間に勝手にコマ送りされることがなく、ユーザは、後で再生（レジューム再生）を再開するときに使い勝手が良い。なお、レコーダ１、１０９は、この仕様に従うものとする。
【００２８】
ＳＴ４：ＤＶＤレコーダ１は、再生した映像をテレビ１０１に表示させるため、テレビ１０１に対し、制御信号７１（外部入力への切換）を出力して、レコーダ１の映像を表示できる外部チャンネルへ、入力切換を要求する。これにより、ユーザは、再生後、テレビ１０１を外部入力に切り換えなくても、直ちに再生映像を視聴できる。
【００２９】
ＳＴ５：ＳＴ４に遅れて、または略同時に、映像信号、音声信号をテレビ１０１に出力する。これにより、再生映像を視聴できる。
【００３０】
ＳＴ６、ＳＴ７、ＳＴ８：ＳＴ８では、テレビ１０１は、外部入力（を受け付ける状態）に切り換える。この前提として、ＳＴ６，ＳＴ７では、テレビ１０１に接続されるすべてのＨＤＭＩ機器１、１０９に対し、無効の要求を出す。
【００３１】
調査によれば、製造メーカによっては、このように外部入力への切換時にすべてのＨＤＭＩ機器１、１０９に対し、無効の要求を出すテレビが存在した。この場合、ＤＶＤレコーダ１がテレビ１０１に対し、外部入力へ切換を要求すると、レコーダ１は、再生開始直後にもかかわらず、無効の要求を受ける。そして、前述の仕様に従うと、再生開始後、直ちに再生が停止する虞がある。そこで、ＳＴ９、ＳＴ１０の処理を行う。
【００３２】
ＳＴ９：ＤＶＤレコーダ１が映像信号を出力してから、ＳＴ７の無効の要求を受けるまで、１秒以内かどうか判断する。外部入力への切換時に無効の要求を出すテレビは、遅くとも１秒以内には、無効の要求をテレビ１０１に送信すると想定される。
【００３３】
ＳＴ１０：そこで、この判断が肯定の場合には（ＳＴ９のＹＥＳ）、無効の要求を無視する。これにより、再生が継続されるから、再生開始の指示と略同時に再生が停止するという不具合のおそれを解消できる。
【００３４】
他方、この判断が否定の場合には（ＳＴ９のＮＯ）、再生を停止する。例えば、ユーザがＤＶＤレコーダ１を今まで再生していて、レコーダ１０９の操作を開始したときは、再生してから１秒以上経過している可能性が高い。この場合には、レコーダ１は、この無効の要求を受け入れて再生を停止する。
【００３５】
なお、ＳＴ９で判断する時間は、再生を指示した後、無効の要求を受けるまでの十分な時間とすればよい。例えば、１秒でなくても、１秒±２０％の特定の値とすることができる。
【００３６】
ＤＶＤレコーダ１０９も同様に、無効の要求に対して再生を停止し、ＳＴ９、ＳＴ１０の処理を実行しても良い。この場合、再生開始から１秒を超えて経過していれば、ＳＴ３の無効の要求を受けて再生を停止する。
【００３７】
なお、以上では、ＳＴ９での時間の起算点を、「映像信号出力をして」からとしているが、ＳＴ４の「外部入力の切換を要求して」からでも良いし、ＳＴ２の「再生指示をうけて」からでもよい。内部に実装されたプログラムはどうあれ、実際の動作として、ＤＶＤレコーダ１に再生指示をしてから、一定時間内に無効の要求を受けたかどうかに基づいて、ＳＴ１０の処理を行っているといえるならば、上記不具合を解消できる。
【００３８】
また、以上の説明では、ＳＴ５で、ＤＶＤレコーダ１がテレビ１０１に対し外部入力への切換を要求するとした。しかし、レコーダ１が要求せずとも、テレビ１０１がその再生指示を受けて、自動的に外部入力に切り換えるようにしてもよい。この場合には、ＤＶＤレコーダ１から外部入力に切り換えを要求する制御信号を送信するための送信部は必ずしも必要でない。この場合には、ＳＴ９での時間の起算点を、ＳＴ４の「外部入力の切換を要求して」からとすることができないが、ＳＴ９の時間の起算点を「映像信号出力をして」からでも良いし、ＳＴ２の「再生指示をうけて」からとしてもよい。
【００３９】
また、ＳＴ９の判断で、「以内」、「超えて」としているのを、それぞれ「未満」、「以上」としてもよい。時間に基づいて判断していれば良い。
【００４０】
次に、図３、図４を用いて、ＤＶＤレコーダ１、テレビ１０１の構成例について説明する。
【００４１】
図３は、ＤＶＤレコーダ１のブロック図の例である。ＤＶＤレコーダ１は、放送受信部２、符号化部３、記録／読取部４、信号処理部５、出力部６、操作部８、制御部９を備える。
【００４２】
放送受信部２は、デジタル放送受信部、アナログ放送受信部を備える。アンテナ１００を介して、放送信号を受信して、映像信号、音声信号、文字情報を抽出する。デジタル放送受信部は、デジタル放送選局部、地上デジタルモジュール、デコーダを備える。また、アナログ放送受信部は、アナログ放送選局部、映像受信部、色信号再生部を備える。また、放送受信部２内部を制御する受信制御部を備える。
【００４３】
デジタル放送選局部は、チューナパック、地上デジタルモジュール、ＯＦＤＭ復調回路、誤り訂正回路を備え、所定の物理チャンネルの周波数帯域を増幅し、ＴＳ（Transport Stream）を出力する。チューナパックは、ＩＦフィルタ、ＩＦアンプ等を備えている。受信制御部は、初期設定処理９５により、チャンネルテーブルを内部のフラッシュメモリ（不図示）に記憶している。
【００４４】
ＩＦフィルタ（intermediatefrequency）は受信制御部から指示された所定の物理チャンネルの信号を通す。ＩＦアンプは、この信号を増幅する。これにより、デジタル放送選局部は、受信制御部により指定されたチャンネルの放送信号を抽出する。また、ＯＦＤＭ復調回路は、入力された放送信号をデジタルデータであるＴＳ（トランスポートストリーム）へ、ＯＦＤＭ復調（Orthogonal Frequency Division Multiplexing）し、誤り訂正回路に出力する。誤り訂正回路はＴＳの誤り情報を訂正して、地上デジタルモジュールに出力する。
【００４５】
地上デジタルモジュールは、マルチプレクサ、バッファメモリを備えている。ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させる。これらのパケットは、ＭＰＥＧ形式のデジタル映像信号で構成されている。デコーダは、モジュール内部のバッファメモリから映像信号のパケットを取り出して、映像信号をデコードする。
【００４６】
アナログ放送選局部は、中間周波数を抽出するフィルタと、この中間周波数帯域を増幅する中間周波数増幅部を備え、所定の物理チャンネルの帯域の放送信号を増幅する。映像受信部は、映像帯域の周波数を増幅し、映像信号を抽出する。色信号再生部は、カラー映像信号から色信号を取り出し、ＲＧＢの３原色信号を生成する。同期検出回路は、カラー映像信号から水平同期信号、垂直同期信号を取り出す。
【００４７】
符号化部３は、放送受信部２で入力した映像信号および音声信号をエンコードする。また、Ａ/Ｄ変換器を備え、入力した映像信号がアナログ形式であれば、エンコードする前に予めＡ/Ｄ変換を行う。符号化部３は、このエンコードしたデータを記録／読取部４に出力する。
【００４８】
記録／読取部４は、光ディスクドライブ４１、ハードディスク４２（ＨＤ４２と略す）と、ハードディスクドライブ４３（ＨＤＤ４３と略す）を備える。ドライブ４１は、記録媒体の１種であるＤＶＤ１０３にレーザ光を照射し、その反射光を検出するピックアップヘッド（不図示）や、ＤＶＤ１０３に照射しているレーザ光の照射位置を制御するフォーカスサーボ制御やトラッキングサーボ制御等を行うサーボ制御部（不図示）等を有している。これらの構成により、ドライブ４１は、ＤＶＤ１０３の読出・記録をする。ＨＤ４２は、記録媒体の１種である。ＨＤＤ４３は、データをＨＤ４２に記録し、記録したデータを読み出す。このような構成により、記録／読取部４は、符号化部３でエンコードされた映像信号、音声信号をＤＶＤ１０３またはＨＤ４２に記録する。
【００４９】
信号処理部５は、デコーダ（８／１６復調部、ＭＰＥＧデコーダ）、調整処理部、ＯＳＤ合成部５１を備えている。８／１６復調部は、記録／読取部４が読み取ったＲＦ信号について８／１６復調等を行い、誤り訂正を行って映像データと音声データを抽出する。ＭＰＥＧデコーダは、映像データと音声データを分離し、各々伸張する。
【００５０】
調整処理部４２は、デコーダ４１でデコードした映像信号の輝度、アスペクト比、スケーリングの調整等を行う。なお、ＭＰＥＧデコーダ以外のフォーマットでエンコードされた映像信号をデコードするデコーダを備えていても良い。また、放送受信部２の出力を、デコーダを通さずＯＳＤ合成部５１に入力しても良い。
【００５１】
ＯＳＤ合成部５１は、制御部９が発行するコマンドに基づいて文字、キャラクタ等のＯＳＤ（On-Screen Display）を合成する。ＯＳＤ合成部５１は、内部に種々の画像データを記憶している。例えば、種々の文字列を表示するための文字、図形、初期設定処理９５で表示するユーザインターフェース等の枠画像を記憶している。これらの枠画像と、文字、図形を合成してＯＳＤを出力する。ＭＰＥＧデコーダから映像信号が出力されている場合には、ＯＳＤ合成部５１は、この映像信号とＯＳＤを合成し、第１ＨＤＭＩ送受信部６に出力する。場合によっては、ＯＳＤ合成部５１は、映像信号の出力を禁止して、ＯＳＤのみを出力してもよい。
【００５２】
第１ＨＤＭＩ送受信部６は、ＨＤＭＩ-ＣＥＣ規格に準拠する送受信部であり、テレビ１０１と信号を送受信する。送受信部６は、信号処理部５で処理された映像信号、音声信号、制御信号をデジタル形式で送信する。ＣＥＣ規格により、制御信号を送信して、テレビ１０１に指示を送る。例えば、テレビ１０１の解像度の情報を要求したり、ＤＶＤレコーダ１の出力信号が表示されるよう、チャンネルの切換を指示する。また、テレビ１０１から、ＤＶＤレコーダ１の操作の指示を受ける。例えば再生の指示を受ける。
【００５３】
操作部８は、装置本体に対する操作を指示する入力を受け付ける。操作部８は、操作キーや、リモコン受信部を有している。操作キーは、装置本体に設けられている。リモコン受信部は、レコーダ用リモコン８１から送信されてきた装置本体に対する制御コードを受信する。操作部８は、ユーザにより操作された操作キーに応じた入力を受け付ける。リモコン受信部で受信した制御コードや、本体操作キーに応じたコードを制御部９に伝達する。リモコン８０は、操作子として、例えば、カーソルキー、数字キー、録画予約キー、決定キー、解除キー、録画キーを備えるようにしてもよい。レコーダ１は、数字キーによりチャンネル、数字入力を受け付け、カーソルキーにより、録画予約、初期設定等の各種設定の選択を受け付ける。決定キーが押されると、制御部９は、選択された項目に応じた処理を行う。また、レコーダ１は、録画予約キー、録画キーにより、録画予約、録画の指示を受け付ける。
【００５４】
なお、以上の操作部８の説明では、ＤＶＤレコーダ１の第１のリモコン受信部に直接指示を送るとしたが、図１で説明したように、テレビ１０１を介して、ＤＶＤレコーダ１へ操作の指示をしても良いし、テレビ１０１から指示を受ける限り、ＤＶＤレコーダ１は、必ずしも操作部８を要しない。
【００５５】
制御部９は、マイコンまたはこれを含むシステムＩＣで構成する。制御部９は、ＲＯＭ（フラッシュメモリでも良い。）、ＣＰＵ、ＲＡＭを備える。制御部９は、操作部８で受け付けた入力に基づいて、２〜８の各部の動作を制御する。また、制御部９のＲＯＭは、録画予約処理９１、録画処理９２、再生処理９３、初期設定処理９５を実行するためのサブルーチンを記憶している。また、フラッシュメモリ９９が制御部９の外部に接続されており、これには、ＤＶＤレコーダ１の状態や、各種初期設定の情報が記録されている。
【００５６】
録画予約処理９１は、ＯＳＤ合成部５１を用いて、ユーザインターフェースをテレビ１０１に出力して、録画の予約を受け付ける処理である。録画処理９２は、映像信号の記録を行う処理である。再生処理９３は、記録媒体（ＤＶＤ１０３、ＨＤ４２）に記録された映像信号の再生を行う処理である。初期設定処理９５は、ＯＳＤをテレビ１０１に出力して、各種の設定を受け付ける処理である。例えば、チャンネル設定、音声設定、画像のアスペクト比の設定、言語設定を受け付ける。
【００５７】
なお、第１ＨＤＭＩ送受信部６と制御部９をあわせたものが、本発明の「映像信号出力部」に相当する。
【００５８】
図４を用いて、本発明の実施形態であるテレビ１０１（テレビジョン）の例について説明する。テレビ１０１は、第１放送受信部１３、第２ＨＤＭＩ送受信部１３２、信号処理部１４、制御部１５、液晶パネル１６０を含む表示部１６、操作部１８を備える。
【００５９】
第２リモコン受信部１８１は、テレビ１０１を操作するためのリモコン８０からの赤外信号を受信し、制御部１５にリモコン信号を伝達する。
【００６０】
アンテナ１０１は、テレビ１０１の背面に設けたコネクタを介して、第１放送受信部１３に接続されている。アンテナ１０１は、電波を受信する。第２第１放送受信部１３、信号処理部１４は、それぞれ、ＤＶＤレコーダ１の放送受信部２、信号処理部５と同様の構成を備える。なお、第２ＨＤＭＩ送受信部１３２からデコードされた映像信号を信号処理部５に入力するときは、デコーダ１４１を介さずに調整処理部１４２に映像信号を入力してもよい。
【００６１】
第２ＨＤＭＩ送受信部１３２は、ＤＶＤレコーダ１と通信して、映像信号を受信する。例えば、送受信部１３２は、ＤＶＤレコーダ１に再生等の命令を送信する。また、外部入力へのチャンネル切換の要求をＤＶＤレコーダ１から受信する。
【００６２】
表示部１６は、液晶パネル１６０、液晶パネル駆動回路１６１、液晶ドライバ１６１ａ、１６１ｂ、バックライト駆動回路１６４、スピーカ１６５を備える。液晶パネル１６０は、２枚の透明板と、その中に入れられた液晶と、２枚の透明板それぞれに張られた偏向板と、各画素の位置で液晶に電圧を印加するための透明電極を有する。それぞれ複数の液晶ドライバ１６１ａ、１６１ｂは、それぞれＤ／Ａ変換器を含んでおり、出力すべき各画素の色調に応じて、各々の画素に電圧を印加する。印加した電圧に応じて液晶分子が移動し、各々の画素において、液晶パネル１６０を透過する光の透過率が変わる。液晶パネル１６０は、内部に信号線、走査線が形成され、これらに対応してマトリクス状に画素が形成されている。信号線から、出力するＲＧＢの値に応じた電圧が印加され、保持される。各画素には、電子スイッチが形成されている。この電子スイッチは、走査線に電圧が出力されたことを条件にオンになり、信号線の電圧が各画素に印加される。これにより各画素を選択して、所定の電圧を印加することができる。
【００６３】
バックライト１６３は、液晶パネルの背面側に配置され、光を発する。これを、例えば冷陰極管（CCFL：Cold  Cathode  Fluorescent  Lamp）とすることができる。バックライト１６３により照らされた光は、液晶パネル１６０の表示面に透過する。ドライバ１６１ａ、１６１ｂにより、各画素の光の透過率が変わり、液晶パネル１６０の表示面に画像が表示される。バックライト１６３の背面には、図示しない反射板が設けられており、液晶パネル１６０の表示面側に光を反射する。この光により、液晶パネル１６０は、文字、画像を表示する。
【００６４】
液晶パネル駆動回路１６１は、液晶ドライバ１６１ａ、１６１ｂバッファメモリと、パネルクロック生成回路等を備えている。ＯＳＤ合成部４３から出力された映像信号をこのバッファメモリに一時的に記憶する。パネルクロック生成回路は、液晶パネル１６０の動作クロックであるパネルクロックを生成する。駆動回路１６１は、パネルクロックに同期して、バッファメモリに記憶した映像信号を順次取り出して、液晶ドライバ１６１ａ、１６１ｂに出力する。
【００６５】
バックライト駆動回路１６４は、高電圧を発生させてバックライト１６３に電圧を印加する。また、回路１６４は、バックライト１６３に出力する電圧を調整する回路を備えている。これにより、回路１６４は、表示部１０の明るさを調整する。
【００６６】
スピーカ１６５は、ＤＶＤレコーダ１から出力された音声信号を音声に変換する。なお、スピーカ１６５をテレビ１０１と別に構成しても良い。
【００６７】
制御部１５は、マイコンで構成し、ＣＰＵ１５１、ＲＡＭ１５２、制御データ格納用のＲＯＭ１５３を備える。制御部１５は、操作部１８で受け付けた入力に基づいて、受信部３、信号処理部４と、表示部１０の回路１６１、１６２の各部の動作を制御する。また、制御部９のＲＯＭは、設定処理１５４、ＣＥＣ処理１５５、チャンネル切換処理１５６を実行するためのサブルーチンを記憶している。
【００６８】
設定処理１５４は、ＯＳＤを出力してチャンネル設定等の各種設定を受け付ける処理である。ＣＥＣ処理１５５は、第２ＨＤＭＩ送受信部１３２を用いて、ＨＤＭＩケーブルで接続された装置との間で、要求を送受信する処理である。チャンネル切換処理１５６は、チャンネル、外部入力を切り換える処理であり、放送受信部１３のチャンネルの切換のほか、外部に接続したＤＶＤレコーダ１の映像を表示する入力への切換を行う処理である。
【００６９】
操作部１８は、装置本体に対する操作を指示するための入力を受け付ける。操作部８は、電源ボタンや、リモコン装置（不図示）から送信されてきた装置本体に対する制御コードを受信するリモコン受信部１８１を有している。これにより、操作部１８は、ユーザにより操作された操作キーに応じた入力を受け付け、制御コードを制御部９に伝達する。また、操作部１８は、ＤＶＤレコーダ１、１０９の操作を受け付ける。
【００７０】
なお、以上では、本発明の実施形態として、映像信号出力機器として、ＤＶＤレコーダ１を用いて説明した。しかし、ＤＶＤレコーダ１でなくとも、映像信号を出力でき、かつ、複数の映像信号の入力から当該機器の映像を表示できるように、入力切換の要求をテレビ１０１に送信できればよい。例えば、ＤＶＤレコーダ１の代わりに、ＴＶゲーム、ビデオカメラ、デジタルカメラでもよい。
【００７１】
また、本発明の実施形態としては、ＤＶＤレコーダ１でなく、再生専用のプレーヤとしても良い。この場合、放送を受信する構成や、録画に関する構成は不要である。例えば、放送受信部２、符号化部３、および、録画予約処理９１、録画処理９２を実行するためのプログラムは不要である。本発明の実施形態としては、ＤＶＤレコーダ１０９もＤＶＤレコーダ１と同様の構成としても良いし、また、ＤＶＤレコーダ１０９を接続していなくても良いし、複数台接続していても良い。また、別の映像信号出力機器（ＴＶゲーム、ビデオカメラ、デジタルカメラ）を接続してもよい。
【００７２】
また、本発明の実施形態として、デジタル放送受信部は、ＴＳでなく、ＰＳ（プログラムストリーム）を受信する携帯でもよい。放送受信部２、１３は、必ずしも、デジタル放送受信部、アナログ放送受信部の両方を備える必要はない。また、テレビ１０１の代わりに、モニタであっても良い。テレビ１０１として、複数の映像信号の入力からＤＶＤレコーダ１の映像を表示できるように入力切換できればよく、必ずしも放送受信部２を要しない。また、映像を表示する手段としては、テレビ１０１のように液晶モニタでなくとも、プラズマモニタ、ＥＬモニタ、ブラウン管、プロジェクタなどで構成するようにしてもよい。
【００７３】
また、以上の説明では、ＤＶＤレコーダ１は、無効の要求を受けて再生を一時停止するとした。しかし、再生、録画を停止せず、または、ＴＶゲーム等の場面の進行を停止せず、第１ＨＤＭＩ送受信部６が単にテレビ１０１に映像信号を送信しないという仕様でも良い。この場合には、図２の無効の要求を受けると、映像信号が送信されず、画面が真っ暗になるか、映像が表示されていないときの画面の色になる虞がある。この場合でも、ＳＴ９、ＳＴ１０の処理をすることにより、これを解消できる。
【００７４】
また、ＤＶＤレコーダ１、１０９のリモコン（図３の８１参照）を設けてもよい。この場合、ＳＴ１、ＳＴ３を実行しない。この場合には、ＳＴ２において、レコーダ１のリモコンは、直接レコーダ１に再生指示を行う。レコーダ１のリモコンで再生指示をする場合でも、外部入力の切換を要求する限り、無効の要求をテレビ１０１から受ける虞がある。したがって、レコーダ１のリモコンから、再生を指示した場合も、ＳＴ９、ＳＴ１０の処理を行うと、以上で示した不具合を解消できる。したがって、本発明の実施形態としては、リモコンは、レコーダ１に指示できればよく、それがテレビ１０１経由であってもよく、レコーダ１に対して直接指示してもよい。また、レコーダ１、テレビ１０１いずれか一方からレコーダ１に操作を指示できればよく、両方のリモコンを備えなくとも、一方のリモコンで操作できれば良い。また、リモコンを用いなくても、レコーダ１、テレビ１０１いずれか一方の本体操作子から再生等の映像信号の出力を指示してもよい。
【００７５】
また、テレビ１０１からの動作無効の要求は、ＤＶＤレコーダ１、１０９のいずれかがアクティブでないことを伝達できれば良く、動作停止の要求でもよい。
【００７６】
また、以上の説明では、ＨＤＭＩ−ＣＥＣ規格に従う装置を例にとり説明したが、本発明の実施形態をこの規格に準拠する装置に限る必要はない。制御信号を映像再生システム１０の装置間で送受信できれば良い。特定の規格に従う必要はないし、ＨＤＭＩのように１本のケーブルで映像信号と併せて制御信号を送信する必要はない。また、システム１０間の制御信号、映像信号、音声信号の伝達は、有線でも、無線でも良い。
【００７７】
図３、図４では、構成を機能ごとに分離したブロックで説明したが、実装上は、これらの機能のうち、いずれかが複数の機能が一体となったシステムＩＣで構成してもよいし、一つのブロックを複数に分離して構成してもよい。
【図面の簡単な説明】
【００７８】
【図１】本実施形態の映像再生システムの概略構成を表わしている。
【図２】本実施形態の再生処理を表わすフロー図である。
【図３】本実施形態のＤＶＤレコーダの構成例を示す。
【図４】本実施形態のＴＶの構成例を示す。
【符号の説明】
【００７９】
１０−映像再生システム、  １−ＤＶＤレコーダ、
２−放送受信部、  ３−符号化部、  ４−記録／読取部、
４１−光ディスクドライブ、  ４２−ハードディスク（ＨＤ）、
４３−ハードディスクドライブ（ＨＤＤ）、
５−信号処理部、  ５１−ＯＳＤ合成部、  ６−第１ＨＤＭＩ送受信部、
８−操作部、  ８０−ＴＶリモコン、  ８１−レコーダ用リモコン、
９−制御部、  ９１−録画予約処理、  ９２−録画処理、
９３−再生処理、  ９５−初期設定処理、
９９−フラッシュメモリ、  １０３−ＤＶＤ、
１００−アンテナ、  １０１−テレビ、
１０５−アンテナ、  １３−第１放送受信部、
１３２−第２ＨＤＭＩ送受信部、１４−信号処理部、
１４１−デコーダ、  １４２−調整処理部、  １４３−ＯＳＤ合成部、
１５−制御部、  １５１−ＣＰＵ、  １５２−ＲＡＭ、  １５３−ＲＯＭ、
１６−表示部、  １６０−液晶パネル、  １６１ａ、  １６１ｂ−液晶ドライバ、
１６１−液晶パネル駆動回路、  １６３−バックライト、
１６４−バックライト駆動回路、  １６５−スピーカ、
１８−操作部、  １８１−第２リモコン受信部
【図１】
2009194589.tif 000003
【図２】
2009194589.tif 000004
【図３】
2009194589.tif 000005
【図４】
2009194589.tif 000006